(57)【特許請求の範囲】
【請求項１】
キャリア・アグリゲートされた無線ネットワークにおいて、二次成分キャリア（ＳＣＣ）に関するタイミングを同期させるための方法であって、
ｅノードＢと通信するために利用される前記ＳＣＣに関する同期外状態を判定することと、
前記ｅノードＢまたはその他のｅノードＢと通信するために利用される一次成分キャリアによって、前記同期外状態を示すインジケーションを、前記ｅノードＢへシグナリングすることと、
前記ＳＣＣによる通信のためのタイミングを同期させるために、前記ｅノードＢとのランダム・アクセス手続を実行することと、
を備える方法。
【請求項２】
前記同期外状態が判定された後、前記ｅノードＢからのアップリンク許可を検出することをさらに備え、
前記シグナリングは、タイミングが同期されていない場合に、アップリンク許可が受信されたか否かに基づいて生じる、請求項１に記載の方法。
【請求項３】
前記ＳＣＣによって前記ｅノードＢから物理ダウンリンク制御チャネル（ＰＤＣＣＨ）を受信することをさらに備え、
前記ランダム・アクセス手続は、ＰＤＣＣＨ命令に基づいてトリガされる、請求項１に記載の方法。
【請求項４】
前記シグナリングすることは、前記インジケーションを、前記ｅノードＢへ、媒体アクセス制御（ＭＡＣ）メッセージまたはラジオ・リソース制御（ＲＲＣ）メッセージとしてシグナリングすることを備える、請求項１に記載の方法。
【請求項５】
前記ｅノードＢとのランダム・アクセス手続を実行することは、コンテンション・ベースのランダム・アクセス手続を実行することを備える、請求項１に記載の方法。
【請求項６】
前記同期外状態が判定された後、前記ｅノードＢからのアップリンク許可を検出することをさらに備え、
前記コンテンション・ベースのランダム・アクセス手続を実行することは、タイミングが同期されていない場合に、アップリンク許可が受信されているか否かに基づく、請求項５に記載の方法。
【請求項７】
キャリア・アグリゲートされた無線ネットワークにおいて、二次成分キャリア（ＳＣＣ）に関するタイミングを同期させるための装置であって、
ｅノードＢと通信するために利用される前記ＳＣＣに関する同期外状態を判定する手段と、
前記ｅノードＢまたはその他のｅノードＢと通信するために利用される一次成分キャリアによって、前記同期外状態を示すインジケーションを、前記ｅノードＢへシグナリングする手段と、
前記ＳＣＣによる通信のためのタイミングを同期させるために、前記ｅノードＢとのランダム・アクセス手続を実行する手段と、
を備える装置。
【請求項８】
前記同期外状態が判定された後、前記ｅノードＢからのアップリンク許可を検出する手段をさらに備え、
前記シグナリングする手段は、タイミングが同期されていない場合に、アップリンク許可が受信されているか否かに基づいてシグナリングする、請求項７に記載の装置。
【請求項９】
前記ＳＣＣによって前記ｅノードＢから、物理ダウンリンク制御チャネル（ＰＤＣＣＨ）命令を受信する手段をさらに備え、
前記ランダム・アクセス手続は、ＰＤＣＣＨ命令に基づいてトリガされる、請求項７に記載の装置。
【請求項１０】
前記シグナリングする手段は、前記インジケーションを、前記ｅノードＢへ、媒体アクセス制御（ＭＡＣ）メッセージまたはラジオ・リソース制御（ＲＲＣ）メッセージとしてシグナリングする、請求項７に記載の装置。
【請求項１１】
前記ｅノードＢとのランダム・アクセス手続を実行する手段は、コンテンション・ベースのランダム・アクセス手続を実行する手段を備える、請求項７に記載の装置。
【請求項１２】
前記同期外状態が判定された後、前記ｅノードＢからのアップリンク許可を検出する手段をさらに備え、
前記コンテンション・ベースのランダム・アクセス手続を実行する手段は、タイミングが同期されていない場合に、アップリンク許可が受信されているか否かに基づく、請求項１１に記載の装置。
【請求項１３】
コンピュータ読取可能な記憶媒体であって、
少なくとも１つのコンピュータに対して、ｅノードＢと通信するために利用される二次成分キャリア（ＳＣＣ）に関する同期外状態を判定させるためのコードと、
前記ｅノードＢまたはその他のｅノードＢと通信するために利用される一次成分キャリアによって、前記少なくとも１つのコンピュータに対して、前記同期外状態を示すインジケーションを、前記ｅノードＢへシグナリングさせるためのコードと、
前記少なくとも１つのコンピュータに対して、前記ＳＣＣによる通信のためのタイミングを同期させるために、前記ｅノードＢとのランダム・アクセス手続を実行させるためのコードと、を備えるコンピュータ読取可能な記憶媒体。
【請求項１４】
前記少なくとも１つのコンピュータに対して、前記同期外状態が判定された後、前記ｅノードＢからのアップリンク許可を検出させるためのコードをさらに備え、
前記少なくとも１つのコンピュータに対してシグナリングさせるためのコードは、タイミングが同期されていない場合に、アップリンク許可が受信されているか否かに基づいてシグナリングする、請求項１３に記載のコンピュータ読取可能な記憶媒体。
【請求項１５】
前記少なくとも１つのコンピュータに対して、前記ＳＣＣによって前記ｅノードＢから、物理ダウンリンク制御チャネル（ＰＤＣＣＨ）命令を受信させるためのコードをさらに備え、
前記ランダム・アクセス手続は、ＰＤＣＣＨ命令に基づいてトリガされる、請求項１３に記載のコンピュータ読取可能な記憶媒体。
【請求項１６】
前記少なくとも１つのコンピュータに対してシグナリングさせるためのコードは、前記インジケーションを、前記ｅノードＢへ、媒体アクセス制御（ＭＡＣ）メッセージまたはラジオ・リソース制御（ＲＲＣ）メッセージとしてシグナリングする、請求項１３に記載のコンピュータ読取可能な記憶媒体。
【請求項１７】
前記少なくとも１つのコンピュータに対して前記ｅノードＢとのランダム・アクセス手続を実行させるためのコードは、前記少なくとも１つのコンピュータに対して、コンテンション・ベースのランダム・アクセス手続を実行させるためのコードを備える、請求項１３に記載のコンピュータ読取可能な記憶媒体。
【請求項１８】
前記少なくとも１つのコンピュータに対して、前記同期外状態が判定された後、前記ｅノードＢからのアップリンク許可を検出させるためのコードをさらに備え、
前記少なくとも１つのコンピュータに対して実行させるためのコードは、タイミングが同期されていない場合に、アップリンク許可が受信されているか否かに基づく、請求項１７に記載のコンピュータ読取可能な記憶媒体。
【請求項１９】
キャリア・アグリゲートされた無線ネットワークにおいて、二次成分キャリア（ＳＣＣ）に関するタイミングを同期させるためのユーザ機器（ＵＥ）であって、
少なくとも１つのプロセッサと、
前記少なくとも１つのプロセッサに接続されたメモリとを備え、
前記少なくとも１つのプロセッサは、
ｅノードＢと通信するために利用される前記ＳＣＣに関する同期外状態を判定し、
前記ｅノードＢまたはその他のｅノードＢと通信するために利用される一次成分キャリアによって、前記同期外状態を示すインジケーションを、前記ｅノードＢへシグナリングし、
前記ＳＣＣによる通信のためのタイミングを同期させるために、前記ｅノードＢとのランダム・アクセス手続を実行するように構成された、ユーザ機器。
【請求項２０】
前記少なくとも１つのプロセッサはさらに、前記同期外状態が判定された後、前記ｅノードＢからのアップリンク許可を検出するように構成され、
前記少なくとも１つのプロセッサは、タイミングが同期されていない場合に、アップリンク許可が受信されているか否かに基づいてシグナリングする、請求項１９に記載のユーザ機器。
【請求項２１】
前記少なくとも１つのプロセッサはさらに、前記ＳＣＣによって前記ｅノードＢから、物理ダウンリンク制御チャネル（ＰＤＣＣＨ）命令を受信するように構成され、
前記ランダム・アクセス手続は、ＰＤＣＣＨ命令に基づいてトリガされる、請求項１９に記載のユーザ機器。
【請求項２２】
前記少なくとも１つのプロセッサは、前記インジケーションを、前記ｅノードＢへ、媒体アクセス制御（ＭＡＣ）メッセージまたはラジオ・リソース制御（ＲＲＣ）メッセージとしてシグナリングする、請求項１９に記載のユーザ機器。
【請求項２３】
前記少なくとも１つのプロセッサは、前記ｅノードＢとのコンテンション・ベースのランダム・アクセス手続を実行するように構成された、請求項１９に記載のユーザ機器。
【請求項２４】
前記少なくとも１つのプロセッサはさらに、前記同期外状態が判定された後、前記ｅノードＢからのアップリンク許可を検出するように構成され、
前記少なくとも１つのプロセッサは、タイミングが同期されていない場合に、アップリンク許可が受信されているか否かに基づいて、前記コンテンション・ベースのランダム・アクセス手続を実行する、請求項２３に記載のユーザ機器。
【請求項２５】
二次成分キャリア（ＳＣＣ）によるランダム・アクセスを容易にする方法であって、
ＵＥから、前記ＳＣＣに関する同期外状態を示すインジケーションを、前記ＵＥとの一次成分キャリアで受信することと、
前記インジケーションに基づいて、前記ＳＣＣによるランダム・アクセスを実行することを促すために、前記ＵＥへ、物理ダウンリンク制御チャネル命令を送信することと、
を備える方法。
【請求項２６】
前記受信することは、前記インジケーションを、媒体アクセス制御（ＭＡＣ）メッセージまたはラジオ・リソース制御（ＲＲＣ）メッセージで前記ＵＥから受信することを備える、請求項２５に記載の方法。
【請求項２７】
前記受信することは、前記ＵＥとの一次成分キャリアを有する、別のｅノードＢとのバックホール・リンクによって、前記インジケーションを受信することを備える、請求項２５に記載の方法。
【請求項２８】
二次成分キャリア（ＳＣＣ）によるランダム・アクセスを容易にする装置であって、
ＵＥから、前記ＳＣＣに関する同期外状態を示すインジケーションを、前記ＵＥとの一次成分キャリアで受信する手段と、
前記インジケーションに基づいて、前記ＳＣＣによるランダム・アクセスを実行することを促すために、前記ＵＥへ、物理ダウンリンク制御チャネル命令を送信する手段と、
を備える装置。
【請求項２９】
前記受信する手段は、前記インジケーションを、媒体アクセス制御（ＭＡＣ）メッセージまたはラジオ・リソース制御（ＲＲＣ）メッセージで前記ＵＥから受信する、請求項２８に記載の装置。
【請求項３０】
前記受信する手段は、前記ＵＥとの一次成分キャリアを有する、別のｅノードＢとのバックホール・リンクによって、前記インジケーションを受信する、請求項２８に記載の装置。
【請求項３１】
コンピュータ読取可能な記憶媒体であって、
少なくとも１つのコンピュータに対して、ＵＥから、二次成分キャリア（ＳＣＣ）に関する同期外状態を示すインジケーションを、前記ＵＥとの一次成分キャリアによって受信させるためのコードと、
前記少なくとも１つのコンピュータに対して、前記インジケーションに基づいて、前記ＳＣＣによるランダム・アクセスを実行することを促すために、前記ＵＥへ、物理ダウンリンク制御チャネル命令を送信させるためのコードと、を備えるコンピュータ読取可能な記憶媒体。
【請求項３２】
前記少なくとも１つのコンピュータに対して受信させるためのコードは、前記インジケーションを、媒体アクセス制御（ＭＡＣ）メッセージまたはラジオ・リソース制御（ＲＲＣ）メッセージで前記ＵＥから受信する、請求項３１に記載のコンピュータ読取可能な記憶媒体。
【請求項３３】
前記少なくとも１つのコンピュータに対して受信させるためのコードは、前記ＵＥとの一次成分キャリアを有する、別のｅノードＢとのバックホール・リンクによって、前記インジケーションを受信する、請求項３１に記載のコンピュータ読取可能な記憶媒体。
【請求項３４】
二次成分キャリア（ＳＣＣ）によるランダム・アクセスを容易にする装置であって、
少なくとも１つのプロセッサと、
少なくとも１つのプロセッサに接続されたメモリとを備え、
前記少なくとも１つのプロセッサは、
ＵＥとの一次成分キャリアによって、前記ＵＥから、前記ＳＣＣに関する同期外状態を示すインジケーションを受信し、
前記インジケーションに基づいて、前記ＳＣＣによるランダム・アクセスを実行することを促すために、前記ＵＥへ、物理ダウンリンク制御チャネル命令を送信するように構成された、装置。
【請求項３５】
前記少なくとも１つのプロセッサは、前記インジケーションを、媒体アクセス制御（ＭＡＣ）メッセージまたはラジオ・リソース制御（ＲＲＣ）メッセージで前記ＵＥから受信する、請求項３４に記載の装置。
【請求項３６】
前記少なくとも１つのプロセッサは、前記ＵＥとの一次成分キャリアを有する、別のｅノードＢとのバックホール・リンクによって、前記インジケーションを受信する、請求項３４に記載の装置。
【請求項３７】
二次成分キャリア（ＳＣＣ）のためのランダム・アクセス・リソースをＵＥへ提供する方法であって、
所与の期間内、または、連続した時間インスタンスのしきい回数中、通信が、ＵＥに許可されたアップリンク・リソースによって受信されているか否かに部分的に基づいて、前記ＳＣＣに関する、ＵＥの同期外状態を判定することと、
前記同期外状態を判定することに基づいて、前記ＵＥのアップリンク・スケジューリングを中止することと、
前記同期外状態を判定することに基づいて、前記ＵＥからのランダム・アクセスを許可することと、を備える方法。
【請求項３８】
前記同期外状態を判定することはさらに、前記ＵＥからサウンディング基準信号が受信されたか否かに部分的に基づく、請求項３７に記載の方法。
【請求項３９】
前記ランダム・アクセスは、前記ＵＥが、二次セルにおいて同期されていないが、前記二次セルのアップリンク許可を未だに受信している場合に行われる、請求項３７に記載の方法。
【請求項４０】
前記同期外状態を判定することに基づいて、前記ＳＣＣによるランダム・アクセスを実行することを促すために、前記ＵＥへ物理ダウンリンク制御チャネル命令を送信すること、をさらに備える請求項３７に記載の方法。
【請求項４１】
二次成分キャリア（ＳＣＣ）のためのランダム・アクセス・リソースをＵＥへ提供する装置であって、
所与の期間内、または、連続した時間インスタンスのしきい回数中、通信が、ＵＥに許可されたアップリンク・リソースによって受信されているか否かに部分的に基づいて、前記ＳＣＣに関する、ＵＥの同期外状態を判定する手段と、
前記同期外状態を判定することに基づいて、前記ＵＥのアップリンク・スケジューリングを中止する手段と、
前記同期外状態を判定することに基づいて、前記ＵＥからのランダム・アクセスを許可する手段と、を備える装置。
【請求項４２】
前記判定する手段はさらに、前記ＵＥからのサウンディング基準信号が受信されたか否かに部分的に基づいて、前記同期外状態を判定する、請求項４１に記載の装置。
【請求項４３】
前記ランダム・アクセスは、前記ＵＥが、二次セルにおいて同期されていないが、前記二次セルのアップリンク許可を未だに受信している場合に行われる、請求項４１に記載の装置。
【請求項４４】
前記同期外状態を判定することに基づいて、前記ＳＣＣによるランダム・アクセスを実行することを促すために、前記ＵＥへ物理ダウンリンク制御チャネル命令を送信する手段、をさらに備える請求項４１に記載の装置。
【請求項４５】
コンピュータ読取可能な記憶媒体であって、
少なくとも１つのコンピュータに対して、所与の期間内、または、連続した時間インスタンスのしきい回数中、通信が、ＵＥに許可されたアップリンク・リソースによって受信されているか否かに部分的に基づいて、二次成分キャリア（ＳＣＣ）に関する、ＵＥの同期外状態を判定させるためのコードと、
前記少なくとも１つのコンピュータに対して、前記同期外状態を判定することに基づいて、前記ＵＥのアップリンク・スケジューリングを中止させるためのコードと、
前記少なくとも１つのコンピュータに対して、前記同期外状態を判定することに基づいて、前記ＵＥからのランダム・アクセスを許可させるためのコードと、を備えるコンピュータ読取可能な記憶媒体。
【請求項４６】
前記少なくとも１つのコンピュータに判定させるためのコードは、前記ＵＥからのサウンディング基準信号が受信されたか否かに部分的に基づいて、前記同期外状態を判定する、請求項４５に記載のコンピュータ読取可能な記憶媒体。
【請求項４７】
前記ランダム・アクセスは、前記ＵＥが、二次セルにおいて同期されていないが、前記二次セルのアップリンク許可を未だに受信している場合に行われる、請求項４５に記載のコンピュータ読取可能な記憶媒体。
【請求項４８】
前記少なくとも１つのコンピュータに対して、前記同期外状態を判定することに基づいて、前記ＳＣＣによるランダム・アクセスを実行することを促すために、前記ＵＥへ物理ダウンリンク制御チャネル命令を送信させるためのコードをさらに備える、請求項４５に記載のコンピュータ読取可能な記憶媒体。
【請求項４９】
二次成分キャリア（ＳＣＣ）のためのランダム・アクセス・リソースをＵＥへ提供するユーザ機器（ＵＥ）であって、
少なくとも１つのプロセッサと、
少なくとも１つのプロセッサに接続されたメモリとを備え、
前記少なくとも１つのプロセッサは、
所与の期間内、または、連続した時間インスタンスのしきい回数中、通信が、前記ＵＥに許可されたアップリンク・リソースによって受信されているか否かに部分的に基づいて、前記ＳＣＣに関する、前記ＵＥの同期外状態を判定し、
前記同期外状態を判定することに基づいて、前記ＵＥのアップリンク・スケジューリングを中止し、
前記同期外状態を判定することに基づいて、前記ＵＥからのランダム・アクセスを許可するように構成された、ユーザ機器。
【請求項５０】
前記少なくとも１つのプロセッサは、前記ＵＥからのサウンディング基準信号が受信されたか否かに部分的に基づいて、前記同期外状態を判定する、請求項４９に記載のユーザ機器。
【請求項５１】
前記ランダム・アクセスは、前記ＵＥが、二次セルにおいて同期されていないが、前記二次セルのアップリンク許可を未だに受信している場合に行われる、請求項４９に記載のユーザ機器。
【請求項５２】
前記少なくとも１つのプロセッサはさらに、前記同期外状態を判定することに基づいて、前記ＳＣＣによるランダム・アクセスを実行することを促すために、前記ＵＥへ物理ダウンリンク制御チャネル命令を送信するように構成された、請求項４９に記載のユーザ機器。
【発明の詳細な説明】
【関連出願に対する相互参照】
【０００１】
本願は、その全体が本明細書において参照によって明確に組み込まれている、２０１２年１月１７日出願の「二次キャリアにおいてランダム・アクセスを実行するための方法および装置」（Method and Apparatus for Performing Random Access on a Secondary Carrier）と題された米国仮出願６１／５８７，５５６に対する利益を主張する。
【技術分野】
【０００２】
本開示の態様は、一般に、無線通信システムに関し、さらに詳しくは、ランダム・アクセス手続を実行することに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、使用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。さらに、そのようなネットワークは、例えば、第３世代パートナシップ計画（３ＧＰＰ）、３ＧＰＰロング・ターム・イボリューション（ＬＴＥ）等のような１または複数のネットワーク仕様に準拠しうる。
【０００４】
無線通信ネットワークは、多くのユーザ機器（ＵＥ）のための通信をサポートしうる多くのイボルブド・ノードＢ（ここでは、ｅノードＢまたはｅＮＢと称される）を含みうる。ＵＥは、ダウンリンクおよびアップリンクによってｅノードＢと通信しうる。ダウンリンク（すなわち、順方向リンク）は、ｅノードＢからＵＥへの通信リンクを称し、アップリンク（すなわち、逆方向リンク）は、ＵＥからｅノードＢへの通信リンクを称する。
【０００５】
いくつかの無線通信ネットワークは、ＵＥのためのキャリア・アグリゲーション（ＣＡ）をサポートする。そのようなコンフィギュレーションでは、ＵＥは、データ・スループットを改善するために、複数のダウンリンク・キャリアおよび／またはアップリンク・キャリアによって１または複数のｅノードＢと同時に通信しうる。複数のキャリアのうちの１つは、一次成分キャリア（ＰＣＣ：primary component carrier）と、その他のキャリアのうちの１または複数（例えば、二次成分キャリア（ＳＣＣ：secondary component carriers）として指定されうる。ＰＣＣでは、ある制御データまたはその他の、高い優先度のデータが、ＰＣＣに関して通信されうる。以前のコンフィギュレーションは、ＰＣＣにおいてアップリンク通信しか許可されていなかったので、タイミング調節（ＴＡ）は、ＰＣＣまたはその他のキャリアによるダウンリンクに関して、単一のＰＣＣによってなされていた。しかしながら、複数のキャリアによるアップリンク通信を可能にすることは、複数のキャリアのおのおののためのＴＡを考慮することに至りうる。
【発明の概要】
【０００６】
キャリア・アグリゲーション（ＣＡ）における二次成分キャリア（ＳＣＣ）によるランダム・アクセス手続を実行する技法が提供される。一例では、ｅノードＢは、デバイスが、タイミング調節（ＴＡ）期間中に、ｅノードＢからＴＡコマンドを受信していないと判定し、これにしたがって、デバイスに対して、ｅノードＢおよびＳＣＣとのタイミングを再同期させるためにランダム・アクセス手続を実行させうる。これは、関連するシグナリングをデバイスから受信することと、デバイスがＳＣＣ等によって通信していないことを判定することと、に基づきうる。別の例では、ｅノードＢが、デバイスに対して、ＳＣＣによるコンテンション・ベースのランダム・アクセス手続を実行することを許可しうる。
【０００７】
態様では、キャリア・アグリゲートされた無線ネットワークにおいて、ＳＣＣに関するタイミングを同期させる方法が提供される。この方法は、ｅノードＢと通信するために利用されるＳＣＣに関する同期外状態を判定することと、同期外状態を示すインジケーションを、ｅノードＢへシグナリングすることと、ＳＣＣによる通信のためのタイミングを同期させるために、ｅノードＢとのランダム・アクセス手続を実行することと、を含む。
【０００８】
本開示のさまざまな態様および特徴が、以下にさらに詳細に記載される。
【図面の簡単な説明】
【０００９】
開示された態様は、以下において、同一符号が同一要素を示す添付図面と連携して説明され、開示された態様を、限定することなく、例示するために提供される。
【図１】図１は、テレコミュニケーション・システムの例を概念的に例示するブロック図である。
【図２】図２は、テレコミュニケーション・システムにおけるダウンリンク・フレーム構造の例を概念的に例示するブロック図である。
【図３】図３は、本開示の１つの態様にしたがって構成されたＵＥおよびｅノードＢの設計を概念的に例示するブロック図である。
【図４Ａ】図４Ａは、連続的なキャリア・アグリゲーション・タイプを開示する。
【図４Ｂ】図４Ｂは、不連続なキャリア・アグリゲーション・タイプを開示する。
【図５】図５は、ＭＡＣレイヤ・データ・アグリゲーションを開示する。
【図６】図６は、マルチ・キャリア構成においてラジオ・リンクを制御する方法を例示するブロック図である。
【図７】図７は、キャリア割当の例のブロック図である。
【図８】図８は、二次成分キャリア（ＳＣＣ）のタイミングを同期させるためのシステムの例のブロック図である。
【図９】図９は、ｅノードＢとのタイミングを同期させるための方法の例の態様である。
【図１０】図１０は、タイミングを同期させるため、デバイスにランダム・アクセス（ＲＡ）リソースを割り当てるための方法の例の態様である。
【図１１】図１１は、タイミングを同期させるため、デバイスにＲＡリソースを割り当てるための方法の例の態様である。
【図１２】図１２は、ｅノードＢとのタイミングを同期させるため、ＲＡ手続を実行するシステムの例のブロック図である。
【図１３】図１３は、タイミングを同期させるため、デバイスにＲＡリソースを割り当てるシステムの例のブロック図である。
【図１４】図１４は、タイミングを同期させるため、デバイスにＲＡリソースを割り当てるシステムの例のブロック図である。
【発明を実施するための形態】
【００１０】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１１】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１２】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭＡ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。本明細書において記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１３】
図１は、ＬＴＥネットワークでありうる無線通信ネットワーク１００を示す。無線ネットワーク１００は、多くのイボルブド・ノードＢ（ｅＮＢ）１１０およびその他のネットワーク・エンティティを含みうる。ｅＮＢは、ＵＥと通信する局であり、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００１４】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ、住宅内のユーザのためのＵＥ等）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢと称されうる。図１に示す例では、ｅＮＢ１１０ａ，１１０ｂ，１１０ｃは、マクロ・セル１０２ａ，１０２ｂ，１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ，１１０ｚは、それぞれフェムト・セル１０２ｙ，１０２ｚのためのフェムトｅＮＢである。ｅＮＢは、１または複数（例えば３つ）のセルをサポートしうる。
【００１５】
無線ネットワーク１００はさらに、中継局をも含みうる。中継局は、データおよび／またはその他の情報の送信を上流局（例えば、ｅＮＢまたはＵＥ）から受信し、データおよび／またはその他の情報の送信を下流局（例えば、ＵＥまたはｅＮＢ）へ送信する局である。中継局はまた、他のＵＥのための送信を中継するＵＥでもありうる。図１に示す例では、中継局１１０ｒは、ｅＮＢ１１０ａとＵＥ１２０ｒとの間の通信を容易にするために、ｅＮＢ１１０ａおよびＵＥ１２０ｒと通信しうる。中継局はまた、リレーｅＮＢ、リレー等とも称されうる。
【００１６】
無線ネットワーク１００はまた、例えば、マクロｅＮＢ、ピコｅＮＢ、フェムトｅＮＢ、リレー等のような異なるタイプのｅＮＢを含むヘテロジニアスなネットワークでもありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、２０ワット）を有する一方、ピコｅＮＢ、フェムトｅＮＢ、およびリレーは、低い送信電力レベル（例えば、１ワット）を有しうる。
【００１７】
無線ネットワーク１００は、同期動作または非同期動作を支援しうる。同期動作の場合、ｅＮＢは、同じようなフレーム・タイミングを有し、異なるｅＮＢからの送信は、時間的にほぼ同期しうる。非同期動作の場合、ｅＮＢは、異なるフレーム・タイミングを有し、異なるｅＮＢからの送信は、時間的に同期しない場合がある。ここに記載された技術は、同期動作および非同期動作の両方のために使用されうる。
【００１８】
ネットワーク・コントローラ１３０は、ｅＮＢのセットに接続しており、これらｅＮＢのための調整および制御を提供しうる。ネットワーク・コントローラ１３０は、バックホールを介してｅＮＢ１１０と通信しうる。ｅＮＢ１１０はまた、例えば、ダイレクトに、または、無線または有線のバックホールを介して非ダイレクトに、互いに通信しうる。
【００１９】
無線ネットワーク１００の全体にわたって、多くのＵＥ１２０が分布しうる。そして、おのおののＵＥは、固定式または移動式でありうる。ＵＥは、デバイス、端末、移動局、加入者ユニット、局等とも称されうる。ＵＥは、セルラ電話、携帯情報端末（ＰＤＡ）、無線モデム（または、その他のテザー・デバイス）、無線通信デバイス、ハンドヘルド・デバイス、ラップトップ・コンピュータ、タブレットまたはネットブック・コンピュータ、コードレス電話、無線ローカル・ループ（ＷＬＬ）局等でありうる。ＵＥは、マクロｅＮＢ、ピコｅＮＢ、フェムトｅＮＢ、リレー等と通信することができうる。図１では、両矢印を持つ実線が、ＵＥと、ダウンリンクおよび／またはアップリンクでＵＥにサービス提供するように指定されたｅＮＢであるサービス提供ｅＮＢとの間の所望の送信を示す。両矢印を持つ破線は、ＵＥとｅＮＢとの間の潜在的な干渉送信を示す。
【００２０】
ＬＴＥは、ダウンリンクにおいて直交周波数分割多重（ＯＦＤＭ）を、アップリンクにおいてシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭまたは類似の多重化スキームを用いて周波数領域で、ＳＣ−ＦＤＭまたは類似の多重化スキームを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）のシステム帯域幅についてそれぞれ１２８，２５６，５１２，１０２４，２０４８にそれぞれ等しい。システム帯域幅はまた、サブ帯域へ分割されうる。例えば、サブ帯域は、１．０８ＭＨｚをカバーし、１．２５，２．５，５，１０，２０ＭＨｚのシステム帯域幅についてそれぞれ１，２，４，８，１６のサブ帯域が存在しうる。
【００２１】
図２は、ＬＴＥにおいて使用されるダウンリンク・フレーム構造２００を図示する。ダウンリンクの送信タイムラインは、例えばラジオ・フレーム２０２のようなラジオ・フレームの単位に分割されうる。おのおののラジオ・フレームは、（例えば１０ミリ秒（ｍｓ）のような）予め定められた持続時間を有し、例えばサブフレーム０  ２０４のような、０乃至９のインデクスを付された１０個のサブフレームへ分割されうる。各サブフレームは、例えばスロット０  ２０６およびスロット１  ２０８のような２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間を、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２２】
ＬＴＥでは、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０，５のおのおのにおいて、シンボル期間６およびシンボル期間５でそれぞれ送信されうる。これら同期信号は、セル検出および獲得のためにＵＥによって使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２３】
図２では、第１のシンボル期間の全体において図示されているが、ｅＮＢは、各サブフレームの第１のシンボル期間の一部において、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅＮＢは、おのおののサブフレームの最初のＭ個のシンボル期間（図２では、Ｍ＝３）において、物理ハイブリッド自動反復／要求（ＨＡＲＱ）インジケータ・チャネル（ＰＨＩＣＨ）および物理ダウンリンク制御チャネル（ＰＤＣＣＨ）を送信しうる。ＰＨＩＣＨは、ハイブリッド自動再送信（ＨＡＲＱ）をサポートするための情報を伝送しうる。ＰＤＣＣＨは、ＵＥのためのリソース割当に関する情報と、ダウンリンク・チャネルのための制御情報とを伝送しうる。図２における第１のシンボル期間には図示されていないが、ＰＤＣＣＨとＰＨＩＣＨも第１のシンボル期間に含まれることが理解される。同様に、ＰＨＩＣＨとＰＤＣＣＨは、図２には図示されていないが、第２のシンボル期間と第３のシンボル期間との両方にも存在する。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。さまざまな信号およびチャネルは、ＬＴＥ構成に対応しうる。
【００２４】
ｅＮＢは、ｅＮＢによって使用されるシステム帯域幅の中央（例えば、中央の１．０８メガヘルツ（ＭＨｚ））でＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥへブロードキャスト方式でＰＳＳ、ＳＳＳ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２５】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。おのおののシンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２内に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせが、ＰＤＣＣＨのために許容されうる。
【００２６】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせの数よりも少ない。ｅＮＢは、ＵＥが探索する組み合わせのうちの何れかのＵＥにＰＤＣＣＨを送信しうる。
【００２７】
ＵＥは、複数のｅＮＢの有効通信範囲内に存在しうる。これらのｅＮＢのうちの１つが、ＵＥにサービス提供するために選択されうる。サービス提供するｅＮＢは、例えば受信電力、経路喪失、信号対雑音比（ＳＮＲ）等のようなさまざまな基準に基づいて選択されうる。
【００２８】
図３は、図１におけるｅノードＢのうちの１つ、およびＵＥのうちの１つでありうる、ｅノード１１０およびＵＥ１２０の設計のブロック図を図示している。限定された関連付けシナリオの場合、ｅノードＢ１１０は、図１におけるマクロｅＮＢ１１０ｃでありうる。また、ＵＥ１２０は、ＵＥ１２０ｙでありうる。また、ｅノードＢ１１０は、その他いくつかのタイプのｅノードＢでもありうる。ｅノードＢ１１０は、アンテナ３３４ａ乃至３３４ｔを装備されうる。そして、ＵＥ１２０は、アンテナ３５２ａ乃至３５２ｒを装備されうる。
【００２９】
ｅノードＢ１１０では、送信プロセッサ３２０が、データ・ソース３１２からデータを、コントローラ／プロセッサ３４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ３２０は、データ・シンボルおよび制御シンボルをそれぞれ取得するために、データ情報および制御情報を処理（例えば、符号化およびシンボル・マップ）しうる。プロセッサ３２０はさらに、例えばＰＳＳ、ＳＳＳのための基準シンボルや、セル特有の基準信号を生成しうる。送信（ＴＸ）複数入力複数出力（ＭＩＭＯ）プロセッサ３３０は、適用可能であれば、データ・シンボル、制御シンボル、および／または、基準シンボルに空間処理（例えば、プリコーディング）を実行し、出力シンボル・ストリームを変調器（ＭＯＤ）３３２ａ乃至３３２ｔに提供しうる。おのおのの変調器３３２は、（例えば、ＯＦＤＭ等のために）それぞれの出力シンボル・ストリームを処理して、出力サンプル・ストリームを得る。おのおのの変調器３３２はさらに、出力サンプル・ストリームを処理（例えば、アナログ変換、増幅、フィルタ、およびアップコンバート）し、ダウンリンク信号を取得する。変調器３３２ａ乃至３３２ｔからのダウンリンク信号は、アンテナ３３４ａ乃至３３４ｔによってそれぞれ送信されうる。
【００３０】
ＵＥ１２０では、アンテナ３５２ａ乃至３５２ｒが、ｅノードＢ１１０からダウンリンク信号を受信し、受信した信号を、復調器（ＤＥＭＯＤ）３５４ａ乃至３５４ｒそれぞれへ提供しうる。おのおのの復調器３５４は、受信したそれぞれの信号を調整（例えば、フィルタ、増幅、ダウンコンバート、およびデジタル化）して、入力サンプルを取得しうる。おのおのの復調器３５４はさらに、（例えば、ＯＦＤＭ等のため）これら入力サンプルを処理して、受信されたシンボルを取得しうる。ＭＩＭＯ検出器３５６は、すべての復調器３５４ａ乃至３５４ｒから受信したシンボルを取得し、適用可能である場合、これら受信されたシンボルに対してＭＩＭＯ検出を実行し、検出されたシンボルを提供しうる。受信プロセッサ３５８は、検出されたシンボルを処理（例えば、復調、デインタリーブ、および復号）し、ＵＥ１２０のために復号されたデータをデータ・シンク３６０に提供し、復号された制御情報をコントローラ／プロセッサ３８０へ提供しうる。
【００３１】
アップリンクでは、ＵＥ１２０において、送信プロセッサ３６４が、データ・ソース３６２から（例えばＰＵＳＣＨのための）データを、コントローラ／プロセッサ３８０から（例えばＰＵＣＣＨのための）制御情報を受信し、これらを処理しうる。プロセッサ３６４はさらに、基準信号のための基準シンボルを生成しうる。送信プロセッサ３６４からのシンボルは、適用可能であればＴＸ  ＭＩＭＯプロセッサ３６６によってプリコードされ、さらに、（例えば、ＳＣ−ＦＤＭ等のために）復調器３５４ａ乃至３５４ｒによって処理され、ｅノードＢ１１０へ送信されうる。ｅノードＢ１１０では、ＵＥ１２０からのアップリンク信号が、アンテナ３３４によって受信され、変調器３３２によって処理され、適用可能であればＭＩＭＯ検出器３３６によって検出され、受信プロセッサ３３８によってさらに処理され、ＵＥ１２０によって送信された復号されたデータおよび制御情報が取得されうる。プロセッサ３３８は、復号されたデータをデータ・シンク３３９に提供し、復号された制御情報をコントローラ／プロセッサ３４０へ提供しうる。
【００３２】
コントローラ／プロセッサ３４０，３８０は、ｅノードＢ１１０およびＵＥ１２０それぞれにおける動作を指示しうる。ｅノードＢ１１０におけるプロセッサ３４０および／またはその他のプロセッサおよびモジュールは、ここで説明された技術のためのさまざまな処理の実行または指示を行いうる。ｅノードＢ１１０および／またはＵＥ１２０におけるプロセッサ３４０，３８０、および／または、その他のプロセッサおよびモジュールはまた、図６および９−１２に例示された機能ブロック、および／または、本明細書で説明された技法のためのその他の処理の動作を実行または指示しうる。さらに、例えば、プロセッサ３４０，３８０等は、本明細書に記載された態様を実施するために図８および図１３−１６に例示されたモジュールを備えうるか、または、少なくとも動作可能に接続されうる。メモリ３４２，３８２は、ｅノードＢ１１０およびＵＥ１２０それぞれのためのデータおよびプログラム・コードを格納しうる。これらプログラム・コードは、図６および９−１２における方法を実行するための命令群と、図８および３−１６におけるモジュール等とを含みうる。スケジューラ３４４は、ダウンリンクおよび／またはアップリンクでのデータ送信のためにＵＥをスケジュールしうる。
【００３３】
（キャリア・アグリゲーション）  
ＬＴＥアドバンストＵＥは、各方向における送信のために使用される、最大で合計１００ＭＨｚのキャリア・アグリゲーション（５成分のキャリア）に割り当てられる最大２０ＭＨｚ帯域幅のスペクトルを用いうる。一般に、アップリンクではダウンリンクよりも少ないトラフィックしか送信されないので、アップリンク・スペクトル割当は、ダウンリンク・スペクトル割当よりも小さくなりうる。例えば、２０ＭＨｚがアップリンクに割り当てられた場合、ダウンリンクは１００ＭＨｚを割り当てられうる。
【００３４】
これらの非対称なＦＤＤ割当は、スペクトルを節約し、ブロードバンド加入者による一般的に非対称な帯域幅利用のために良く適合しうるが、その他の割当も可能でありうる。
【００３５】
（キャリア・アグリゲーション・タイプ）  
ＬＴＥアドバンスト・モバイル・システムの場合、２つのタイプのキャリア・アグリゲーション（ＣＡ）方法が提案されている。これらは、連続的なＣＡと不連続なＣＡであり、これらの例が、図４Ａおよび４Ｂに例示されている。利用可能な複数の成分キャリア４１０が、周波数帯域に沿って分離されている場合、不連続なＣＡが生じる（図４Ｂ）。一方、利用可能な複数の成分キャリア４００が、互いに隣接している場合、連続的なＣＡが生じる（図４Ａ）。図示されるように、例えば、連続的なＣＡでは、キャリア１  ４０２、キャリア２  ４０４、およびキャリア３  ４０６が、周波数において隣接する。
【００３６】
不連続なＣＡでは、キャリア１  ４１２、キャリア２  ４１４、およびキャリア３  ４１６は、周波数において隣接しない。ＬＴＥアドバンストＵＥの１つのユニットにサービス提供するために、不連続なＣＡと連続的なＣＡとの両方が、複数のＬＴＥ／成分キャリアをアグリゲートする。
【００３７】
ＬＴＥアドバンストＵＥでは、不連続なＣＡを用いて、複数のＲＦ受信ユニットおよび複数のＦＦＴが配置されうる。なぜなら、これらキャリアは、周波数帯域に沿って分離されているからである。不連続なＣＡは、分離された複数のキャリアによるデータ送信を、広い周波数範囲にわたってサポートするので、伝搬経路喪失、ドップラ・シフト、およびその他のラジオ・チャネル特性が、異なる周波数帯域において大きく変動しうる。
【００３８】
したがって、不連続なＣＡのアプローチ下におけるブロードバンド・データ送信をサポートするために、異なる成分キャリアのための符号化、変調、および送信電力を適応的に調節するための方法が用いられうる。例えば、エンハンスト・ノードＢ（ｅＮＢ）が、各成分キャリアにおいて固定された送信電力を有するＬＴＥアドバンスト・システムでは、各成分キャリアの有効な通信範囲またはサポート可能な変調および符号化は異なりうる。
【００３９】
（データ・アグリゲーション・スキーム）
図５は、インターナショナル・モバイル・テレコミュニケーション（ＩＭＴ）アドバンスト・システムまたは類似のシステムのため、媒体アクセス制御（ＭＡＣ）レイヤにおける異なる成分キャリア５０２，５０４，５０６からの送信ブロック（ＴＢ）（図５）をアグリゲートするデータ・アグリゲーション５００を実行することを例示する。各成分キャリアは、ＭＡＣレイヤ・データ・アグリゲーションを用いて、自身の独立したハイブリッド反復要求（ＨＡＲＱ）エンティティ５０８，５１０，５１２をＭＡＣレイヤに、自身の送信コンフィギュレーション・パラメータ（例えば、送信電力、変調および符号化スキーム、およびマルチ・アンテナ構成）を物理レイヤに有する。同様に、物理レイヤでは、各成分キャリアのために、１つのＨＡＲＱエンティティ５１４，５１６，５１８が提供されうる。
【００４０】
（制御シグナリング）
一般に、複数の成分キャリアのための制御チャネル・シグナリングを展開するために、３つの異なるアプローチが存在する。第１のアプローチは、ＬＴＥシステムにおける制御構造を若干修正することを含む。ここでは、各成分キャリアは、自身の符号化制御チャネルを与えられる。
【００４１】
第２の方法は、異なる成分キャリアの制御チャネルを統合的に符号化することと、これら制御チャネルを、専用の成分キャリア内に配置することと、を含む。この成分キャリアは、一次成分キャリア（ＰＣＣ）として称されうる。残りの成分キャリアは、二次成分キャリア（ＳＣＣ）として称されうる。別の例において、ＰＣＣは、アンカ・キャリアと称されうる。マルチ成分キャリアのための制御情報は、専用成分キャリアにおける専用制御チャネルにおいて、シグナリング・コンテンツとして統合されうる。この結果、ＣＡにおけるシグナリング・オーバヘッドが低減されながら、ＬＴＥシステムにおける制御チャネル構造との後方互換性が維持される。
【００４２】
異なる成分キャリアのための複数の制御チャネルが、統合的に符号化され、その後、第３のＣＡ方法によって生成された周波数帯域全体にわたって送信される。このアプローチは、ＵＥ側における高い電力消費を犠牲にして、制御チャネルにおける高い復号パフォーマンスおよび低いシグナリング・オーバヘッドを提供する。しかしながら、この方法は、ＬＴＥシステムとの互換性をもたない。
【００４３】
（ハンドオーバ制御）
ＣＡがＩＭＴアドバンストＵＥのために使用される場合、複数のセルにわたるハンドオーバ手続中に、送信連続性をサポートすることが望ましい。しかしながら、到来するＵＥのため、特定のＣＡ構成要件およびサービス品質（ＱｏＳ）要件を持つ十分なシステム・リソース（例えば、良好な送信品質を持つ成分キャリア）を確保することは、次のｅＮＢのために魅力的でありうる。この理由は、２つ（またはそれ以上）の隣接するセル（ｅＮＢ）のチャネル条件が、特定のＵＥについて異なりうるからである。１つのアプローチでは、ＵＥは、各隣接セルにおいて、１つの成分キャリアのパフォーマンスしか測定しない。これは、ＬＴＥシステムにおけるものと同様の測定遅れ、複雑さ、およびエネルギ消費量を与える。対応するセルにおけるその他の成分キャリアのパフォーマンスの推定値は、１つの成分キャリアの測定結果に基づきうる。この推定値に基づいて、ハンドオーバ決定および送信構成が決定されうる。
【００４４】
図６は、一例にしたがって、物理チャネルをグループ化することによって、マルチ・キャリア無線通信システムにおいてラジオ・リンクを制御するための方法６００を例示する。図示するように、この方法は、６０２において、少なくとも２つのキャリアからの制御機能を、１つのキャリアにアグリゲートして、一次キャリアと、１または複数の関連付けられた二次キャリアとを生成することを含む。次に、ブロック６０４において、一次キャリアと、各二次キャリアとのための通信リンクが確立される。その後、通信は、ブロック６０６において、一次キャリアに基づいて制御される。
【００４５】
（キャリア・アグリゲーションにおいてランダム・アクセスを実行すること）
図７は、ＵＥのためのキャリア・コンフィギュレーション７００の例を例示する。例えば、ＵＥは、ＣＣ１，ＣＣ２，ＣＣ３等のような複数の成分キャリアで通信しうる。ここで、１つのＣＣ（例えば、ＣＣ１）は、ダウンリンクＰＣＣ７０２およびアップリンクＰＣＣ７０４を備える一次ＣＣとして指定される。ＤＬ  ＰＣＣ７０２は、ｅノードＢからのダウンリンク通信を含み、ＵＬ  ＰＣＣ７０４は、ＵＥからｅノードＢへのアップリンク通信を含み、（例えば、ＰＵＳＣＨによる）データ通信のみならず、（例えば、ＰＵＣＣＨによる）制御通信のためにも使用されうる。一例において、ＰＣＣが確立されるｅノードＢまたは関連するセルは、ＰＣｅｌｌと称されうる。例えばＣＣ２およびＣＣ３のようなその他のＣＣは、二次ＣＣ（ＳＣＣ）と呼ばれ、少なくともＤＬ  ＳＣＣ７０６，７０８を含む。ＵＥは、ＤＬ  ＳＣＣ７０６，７０８を介して、ｅノードＢまたは１または複数のその他のｅノードＢから、追加のダウンリンク通信を受信しうる。いくつかの態様では、ＵＥのためのＰＣＣは、第１のｅノードＢとの通信のために設定される一方、ＳＣＣは、第２のｅノードＢとの通信のために設定されうる。同様に、ＳＣＣ（単数または複数）が確立されるｅノードＢまたは関連するセルは、ＳＣｅｌｌ（単数または複数）と称されうる。
【００４６】
例えばＬＴＥリリース１０のような以前の構成では、ＰＣＣは、ＵＥ毎ベースで、より高いレイヤによって、準静的に設定されうる。さらに、例えば、ＨＡＲＱにおけるアクノレッジメント（ＡＣＫ）／非ＡＣＫ（ＮＡＫ）、チャネル品質インジケータ（ＣＱＩ）、およびスケジューリング要求（ＳＲ）レポート等のような制御情報は、送信された場合、ＰＣＣで送信されていた。ＳＣＣは、ＬＴＥリリース１０では、所与のＵＥのためにＰＵＣＣＨを伝送することはなかった。したがって、最大５：１の、ＤＬからＵＬへのＣＣマッピングが可能である場合、１つのＵＬ  ＰＣＣ７０４が、最大５つのＤＬ  ＣＣのため、ＰＵＣＣＨにおけるＡＣＫ／ＮＡＫ送信をサポートしていた。ＬＴＥリリース１０では、ＵＬ  ＰＣＣ７０４のみがＤＬ  ＰＣＣ７０２およびＤＬ  ＳＣＣ７０６および／または７０８のための制御データを伝送するＵＬ  ＣＣである場合にのみ、一次セル（ＰＣｅｌｌ）においてランダム・アクセス（ＲＡ）がサポートされている。
【００４７】
ＬＴＥにおけるランダム・アクセスは、ＵＥが接続設定を要求した場合に生じる。これは、例えば、アップリンク同期の確立、通信リソース等の確立等のために生じうる。この主な目的は、アップリンク・タイミングの獲得である。ＬＴＥには、２つのタイプのランダム・アクセスがある。それらは、コンテンション・ベースのランダム・アクセス、または、コンテンション・フリー（非コンテンション・ベースとも称される）のランダム・アクセスである。コンテンション・フリーのランダム・アクセスでは、２つステップがなされる。第１に、ランダム・アクセス・プリアンブルを送信する。これは、ｅノードＢによる、ＵＥの送信タイミングの推定を可能にする。アップリンク同期によって、ＵＥは、アップリンク・データを送信することが可能となる。第２に、タイミング・アドバンス（ＴＡ）コマンドがネットワークによって送信され、アップリンク同期を確立するＵＥの送信タイミングが調節される。コンテンション・ベースのランダム・アクセスでは、さらに２つのステップがなされる。第３に、ＵＥは、自己の識別情報をネットワークへ送信する。第４に、ネットワークは、ＤＬ−ＳＣＨで、ＵＥへ、コンテンション解決メッセージを送信する。コンテンション解決メッセージで受信された識別情報と、第３のステップでネットワークへ送信された識別情報とが一致する１つの端末は、ランダム・アクセス手続が成功したことを宣言するだろう。ＵＥ自身が（「ランダムに」）プリンブルを選択する場合、それは、コンテンション・ベースのＲＡＣＨ手続である。この場合、プリアンブルは、コンテンション・ベースのプリアンブルと称される。ＵＥが、プリアンブルの割当を、ラジオ・リソース制御（ＲＲＣ）またはＰＤＣＣＨ（すなわち、明示的にシグナルされたプリアンブル）からダイレクトに受信する場合、それは、非コンテンション・ベースのＲＡＣＨ手続であり、この場合、プリアンブルは、専用プリアンブルと呼ばれる。ＬＴＥリリース１０では、すべてのセルにわたって、単一のタイミング調節（ＴＡ）しかサポートされていない。ＬＴＥリリース１１では、複数のキャリアのために、複数のタイミング調節が可能である。ＰＣｅｌｌのためのものが１つであり、その他が、ＳＣｅｌｌのためのものである。したがって、ランダム・アクセスは、ＳＣｅｌｌのためのＵＬ同期を得るために、ＰＣｅｌｌに加えて、ＳＣｅｌｌにおいてもサポートされている。
【００４８】
前述したように、ＬＴＥリリース１０では、ＰＣＣ  ＵＬにおいて１つのタイミング調節しかサポートされていない。したがって、ｅノードＢは、（これらのタイミングが同期されているので）ＳＣＣ７０６および／または７０８のうちの１または複数、または、ＤＬ  ＰＣＣ７０２のそれぞれにＴＡを示すことによって、ＵＬ  ＰＣＣ７０４のタイミング調節（ＴＡ）を実行していた。しかしながら、ＣＣ２および／またはＣＣ３に含まれたＵＬ  ＳＣＣ７１０および／または７１２に加えて、ＵＬ  ＰＣＣ７０４、ＵＬ  ＳＣＣ７１０、および／またはＵＬ  ＳＣＣ７１２においてもタイミングが変動しうるので、ＵＬ  ＰＣＣ７０４およびＵＬ  ＳＣＣ７１０および／または７１２のおのおのについてＴＡが実行されうる。
【００４９】
ＳＣｅｌｌにおけるランダム・アクセスは、ＰＤＣＣＨ命令によってトリガされたネットワークでありうる。これは、非コンテンション・ベースのＲＡである。ＵＬ  ＳＣＣ７１０および／または７１２におけるＴＡをサポートするために、それぞれのｅノードＢは、（例えば、対応するＤＬ  ＳＣＣ７０６および／または７０８で送信する際に使用されるタイミングおよびＵＥのために決定された、または、レポートされたそれぞれのタイミング差のような）ＵＥのためのＴＡを指定するＴＡコマンドをＵＥへ送信しうる。これは、ＣＣ２およびＣＣ３で通信するためにＵＥがｅノードＢに同期されていることを保証するために（例えば、ＴＡタイマにしたがって）定期的に行われうる。ＴＡタイマが終了する前にＴＡコマンドが通信されない場合、または、タイマが終了する前にＵＥがＴＡコマンドを見失った場合、ＵＥは同期外状態にあり、ＵＥとｅノードＢとの間でタイミングが同期される必要があると判定されうる。
【００５０】
ＬＴＥリリース１０では、ＵＥは、タイミング調節を得るためにＰＣｅｌｌにおいてＲＡを実行するだろう。しかし、これはＳＣｅｌｌについては可能ではないかもしれない。なぜなら、ＵＥはＰＤＣＣＨ命令によってトリガされた場合にのみ、ＳＣｅｌｌにおいてＲＡを実行しうる、すなわち、非コンテンション・ベースのＲＡでありうるからである（これは、時間およびリソースが使い果たされるまで送信されないことがありうる。なぜなら、ｅノードＢは、ＵＬにおけるＵＥの同期外状態を認識せず、この同期外状態によって、ＵＥが応答しない、ＵＬにおけるスケジューリング許可を維持しうるからである）。ＰＤＣＣＨ命令は送信されないので、コンテンション・ベースのＲＡ手続のみが、ＵＥによって開始されうる。しかし、これはＬＴＥリリース１０については定義されない。非コンテンション・ベースのランダム・アクセスは、ｅノードＢが、ＵＥが同期外状態であることを認識するようになることなく使用されることはない。ＵＥは、ＵＬで何れを送信することも許可されていないので、これらリソースは、浪費される可能性が高いであろう。ｅノードＢは、最終的には、何か不具合があることを認識するであろうが、（他の問題も存在しうるが、）この問題がＵＬ同期であることがｅノードＢに明確になる訳ではないかもしれない。第１の解決策では、ｅノードＢは、１または複数の設定／スケジュールされたチャネル／信号（例えば、ＰＵＳＣＨ、ＳＲＳ）を、しきい期間内に検出できない場合、または、ＳＣｅｌｌのみのＴＡグループに属する、連続的に設定／スケジュールされたしきい回数の時間インスタンス中に検出できない場合、これらＳＣｅｌｌ（単数または複数）内で動作するＵＥのためのＵＬスケジューリングを中止し、ＵＥがＲＡを実行するためのＰＤＣＣＨ命令を送信する。このＲＡは、非コンテンション・ベースであるだろう。
【００５１】
第２の解決策では、ｅノードＢは、ＵＥが、ＵＬ  ＳＣＣ７１０および／または７１２で、ＳＣｅｌｌにおいてコンテンション・ベースのランダム・アクセス（ＲＡ）手続を実行することを許可しうる。これは、ＰＤＣＣＨ命令無しで、キャリアにおいて、それぞれのｅノードＢとタイミングを同期させるための機能を含む。したがって、ＵＥは、ＰＣｅｌｌにおけるように、ＳＣｅｌｌにおけるＲＡをトリガする。これは、ＵＥがＳＣｅｌｌにおいてＵＬ同期されない（すなわち、同期外状態にある）が、そのセルのためのＵＬ許可をｅノードＢから未だに受信しているケースについて許可されうる。このケースでは、ｅノードＢは、ＵＥに、コンテンション・ベースのリソースを送信しうる。
【００５２】
第３の解決策は、追加のシグナリングを用いる。ここでは、ＵＥは、ＰＣｅｌｌ  ＵＬキャリアがまだ同期されているので、このキャリアでメッセージを送信することによって、ＵＥがＳＣｅｌｌにおいて同期されていない（例えば、同期外状態である）ことをｅノードＢに通知する。例えば、ＵＥは、ＵＬ同期されていないＳＣｅｌｌのＵＬ許可を取得しているのであれば、ＳＣｅｌｌとの同期外状態についてｅＮＢに通知するメッセージを送信する。このメッセージは、ＭＡＣレイヤまたはＲＲＣレイヤにおいて発信されうる。
【００５３】
一例において、ＵＬ  ＳＣＣ７１０および／または７１２によってＲＡを実行するためのリソースは、非コンテンション・ベースであり、もって、ＵＥは、ｅノードＢによって指示された場合には、ＲＡ手続を実行しうる。この例では、ＵＥが、ｅノードＢによって送信されたＴＡコマンドを受信しない場合、ｅノードＢは、ＵＥが同期外状態にあるべきであるとは判定せず、もって、ＴＡタイマが鳴るまでに、ＵＥに対して、ＲＡ手続を実行することを指示も許可もしていない間、ＵＥへアップリンク許可を送信し続けうる。しかしながら、１つの解決策では、ＵＥが、その同期外状態を（例えば、オーバ・ザ・エア・シグナリングを用いて）ｅノードＢへ示し、もって、ｅノードＢが、ＵＥに対して、（例えば、それぞれＤＬ  ＳＣＣ７０６および／または７０８によって）ＲＡを実行することを許可しうる。ＵＥが、ＵＬ  ＰＣＣ７０４を維持し（これは、個別のＴＡを実行することを含みうる）、もって、ＵＬ  ＰＣＣ７０４における同期外状態を示しうることが認識されるべきである。
【００５４】
図８は、ＳＣＣのタイミングを同期させるためにランダム・アクセスを実行するためのシステム８００の例を例示する。システム８００は、少なくとも１つのＳＣＣを含む１または複数の成分キャリアでｅノードＢ８０４と通信するＵＥ８０２を含む。ＵＥ８０２が、説明されたようなＣＡを利用して、複数のキャリアでｅノードＢ８０４および／またはその他のｅノードＢ（図示せず）へ同時通信することによって、スループットが改善される。ＵＥ８０２は、実質的に、ｅノードＢからの信号を受信し、これらを同期させる任意のＵＥ、モデム（または、その他のテザー・デバイス）、リレー、これらの一部等でありうる。ｅノードＢ８０４は、ＵＥ８０２と通信しそのタイミング調節値を送信する、例えば、フェムト・ノード、マクロ・ノード、モバイルｅノードＢ、リレー等のような実質的に任意の種類のｅノードＢでありうる。
【００５５】
ＵＥ８０２は、１または複数の成分キャリアによって１または複数のｅノードＢと通信するためのトランシーバ８０６と、ｅノードＢから受信したＴＡコマンドに基づいて、キャリアのタイミングを調節するためのＴＡ構成要素８０８と、１または複数のｅノードＢとのＲＡ手続を実行し、１または複数のｅノードＢとのタイミングを同期させるためのＲＡ構成要素８１０とを含みうる。ＵＥ８０２はまた、オプションとして、１または複数のｅノードＢへ通信するための同期ステータスを指定するための状態指示構成要素８１２を含む。
【００５６】
ｅノードＢ８０４は、１または複数の成分キャリアによってＵＥと通信するためのトランシーバ８１８と、ＴＡコマンドをＵＥへ発行することによって、１または複数の成分キャリアのためのタイミングを調節するためのＴＡ構成要素８２０と、および／または、１または複数の成分キャリアでＲＡを実行するためにＵＥが使用する、ＰＤＣＣＨ命令を生成するための、オプションのＰＤＣＣＨ命令生成構成要素８２２と、を含みうる。
【００５７】
例によれば、トランシーバ８０６，８１８は、１または複数の成分キャリアのＤＬおよび／またはＵＬで通信しうる。説明されるように、ＵＥ８０２は、ｅノードＢ８０４および／またはその他のｅＮＢと通信するために、ＰＣＣおよび１または複数のＳＣＣを割り当てられうる。すなわち、ＵＥ８０２は、１つより多くのｅノードＢと通信するために、ＰＣＣおよび１または複数のＳＣＣを割り当てられうる。例えば、ＵＥは、ＰＣＣを用いてｅノードＢ８０４と通信するように構成されうる。そして、ＳＣＣを用いて第２のｅノードＢ（図示せず）と通信するように構成されうる。この例において、トランシーバ８０６，８１８が通信するキャリアのうちの少なくとも１つは、ＣＡにおけるＳＣＣでありうる。トランシーバ８０６，８１８は、例えば、受信プロセッサ３３８または３５８、送信プロセッサ３２０または３６４、関連するアンテナ３３２および３５２、復調器／変調器３３２または３５４等のような受信プロセッサおよび／または送信プロセッサおよび関連する構成要素を含みうることが認識されるべきである。ＴＡ構成要素８２０は、ＵＥ８０２へ通信するためのＴＡコマンドを生成し、ＵＥ８０２に対して、ｅノードＢ８０４と、ＳＣＣによって通信するためのタイミングを調節することを可能にする。ＴＡ構成要素８２０は、（例えば、アップリンクＳＣＣの、観察されたタイミング差に基づいて）ダウンリンクＳＣＣのタイミングに対するＴＡを提供しうる。この例において、トランシーバ８１８は、ＵＥ８０２にＴＡを通信しうる。トランシーバ８０６はＴＡを受信し、ＴＡ構成要素８０８は、キャリアで通信するために確立されたＴＡおよび／または現在のタイミングに基づいて、キャリアで通信するためのタイミングを調節しうる。
【００５８】
一例において、ＵＥ８０２は、ＳＣＣで通信するためにｅノードＢ８０４と同期外にありうる。これは、例えば、ｅノードＢ８０４からＴＡを受信せずにタイマが終了したこと、または、１またはその他のイベント、メッセージ、検出されたラジオ条件等に基づいて生じうる。一例において、ＴＡタイマ８１６は、ｅノードＢ８０４からＴＡコマンドを受信すると起動され、その後のＴＡコマンドを受信すると再起動されうる。ｅノードＢ８０４からＴＡコマンドを受信することなくタイマが終了すると、ＴＡ構成要素８０８は、ＵＥ８０２が、ｅノードＢ８０４およびＳＣＣに関して同期外状態にあると判定しうる。ＵＥ８０２が同期外であるとＴＡ構成要素８０８が判定すると、ｅノードＢがＵＥ８０２に許可を送り続けていても、タイミングが同期される（これは、後述するように、ＲＡ手続を用いて達成されうる）まで、ＵＥ８０２は、ＳＣＣで通信することを控えうる。
【００５９】
例えば、ＴＡ構成要素８２０は、類似のＴＡタイマ８２６を使用し、ＵＥ８０２にＴＡを送信することなくＴＡタイマ８２６が終了した場合、ＰＤＣＣＨ命令生成構成要素８２２は、ＵＥ８０２に対して、ＳＣＣでコンテンション・フリーＲＡを実行させるためのＰＤＣＣＨ命令を生成し、それにしたがって、トランシーバ８１８が、ＰＤＣＣＨ命令をＵＥ８０２へ通信しうる。トランシーバ８０６は、一例において、ＰＤＣＣＨ命令を受信し、ＲＡ構成要素８１０は、ＰＤＣＣＨ命令に基づいて、ＳＣＣでコンテンション・フリーＲＡを実行しうる。例えば、これは、ＰＤＣＣＨ命令において示されるＲＡＣＨプリアンブルをトランシーバ８０６を用いてｅノードＢ８０４へ送信することと、ＴＡを受信することと、を含みうる。別の例では、ｅノードＢ８０４は、ＵＥ８０２を非同期のままにしておくことを望む場合、ＵＥ８０２のためのＰＤＣＣＨ命令を生成しない。
【００６０】
一例において、（例えば、ＴＡタイマ８１６の終了に基づいて）ＵＥ８０２が同期外状態であるとＴＡ構成要素８０８が判定すると、状態表示構成要素８１２は、ｅノードＢ８０４へ送信するための同期外状態インジケーションを生成しうる。例えば、トランシーバ８０６は、このインジケーションを、ｅノード８０４と、別のキャリア（例えば、ＵＬ  ＰＣＣまたは別のＵＬ  ＳＣＣ）によってシグナルしうるか、または、このインジケーションを、別のｅノードＢ（例えば、ＵＥ８０２にＰＣＣを割り当てた個別のｅノードＢ）へシグナルしうる。この別のノードは、このインジケーションを、バックホール・リンクを介してｅノードＢ８０４へ通信しうる。したがって、トランシーバ８１８は、（例えば、ＵＬ  ＰＣＣまたは別のＵＬ  ＳＣＣによってシグナリングするＵＥ８０２から、または、ＵＥ８０２がＰＣＣまたはＳＣＣ等によって通信する別のｅノードＢから、バックホール通信でインジケーションを受信することによって）ＵＥ８０２から、ステータスを受信しうる。
【００６１】
また別の例では、ＴＡ構成要素８２０は、ＴＡ構成要素８２０がＴＡコマンドを送信した場合であっても、および／または、ＴＡタイマ８２６が終了していなくても、ＵＥ８０２が同期外状態であるか否かを検出しうる。一例では、ＴＡ構成要素８２０は、所与の期間内、スケジュールされた連続した時間インスタンスのしきい回数中、または、しきい時間長さ等の間、通信が、ＵＥ８０２に許可されたＵＬ  ＳＣＣによって受信されているか否かを判定しうる。受信されていないと判定された場合、ｅノードＢ８０４は、ＵＥ８０２が、同期外状態にあることを判定し、および／または、ｅノードＢ８０４が、ＳＣＣと通信するためにＵＥへＰＵＳＣＨリソースを許可することを中止しうる。さらに、または、その代わりに、ｅノードＢ８０４は、ＵＥ８０２が同期外状態にある（例えば、ＵＥが、ｅノードＢ８０４によって送信されたＴＡコマンドを受信しなかった）か否かを判定するために、例えばサウンディング基準信号（ＳＲＳ）のようなある信号またはチャネルが、ＳＣＣによってＵＥ８０２から受信されたか否かを判定しうる。
【００６２】
さらに、例において、ｅノード８０４は、ＳＣＣによるコンテンション・ベースのＲＡを許可しうる。この例では、ＵＥ８０２が同期外状態にあるとＴＡ構成要素８０８が判定した場合、ＲＡ構成要素８１０は、説明されたように、ｅノードＢ８０４からのＰＤＣＣＨ命令を待つ必要なく、ＳＣＣによる通信を同期させるために、ＳＣＣによるｅノードＢ８０４とのコンテンション・ベースのＲＡ手続を実行しうる。これは、説明されたように、ＲＡプリアンブルを送信することと、ＴＡを受信することと、コンテンション解決を容易にするためにＵＥ８０２の識別情報を送信することと、ｅノードＢ８０４からコンテンション解決策を受信することと、を含みうる。
【００６３】
さらに、例えば、ＵＥ８０２によって利用されるＳＣＣは、同期目的のためにグループ化されうる。したがって、ＴＡ構成要素８０８は、グループ内のＳＣＣにＴＡコマンドを適用しうる。同様に、ＴＡ構成要素８０８は、グループ内の１つのＳＣＣについてＴＡコマンドを受信すること、または、受信しないことに基づいて、グループの同期状態を判定し、および／または、それにしたがって、ｅノードＢ８０４に対して、グループの同期外状態を通知し、グループについてのＲＡ手続等を実行しうる。
【００６４】
さらに、構成要素８０８，８１０，８１２，８２０および／または８２２は、プロセッサの一部でありうるか、および／または、プロセッサによって実現されうることが認識されるべきである。構成要素８０８，８１０，８１２，８２０および／または８２２は、例えば、オーバ・ザ・エアによって、または、バックホール・リンクによって通信するためのトランシーバ８０６および／または８１８や、プロセッサによって実行される、または、機能に関連する命令群を格納するためのメモリ等のように、説明された機能を実行するためのＵＥ８０２および／またはｅノードＢ８０４のその他の構成要素を利用しうる。
【００６５】
以下、図９−１１は、ＳＣＣを提供するｅノードＢとのタイミングを同期させることに関連する方法の例を例示する。説明の単純性の目的のために、これら方法が一連の動作として図示および説明されるが、いくつかの動作は、１または複数の実施形態にしたがって、本明細書に図示および記載されたものとは異なる順序で、および／または、本明細書に図示および記載されたものとは異なる動作と同時に、引き起こりうるので、これら方法が、動作の順序によって制限されないことが理解および認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００６６】
図９は、ＳＣＣのためにｅノードＢとタイミングを同期させるための方法９００の例を例示する。９０２では、ｅノードＢと通信するために利用されるＳＣＣに関して、同期外状態が判定されうる。例えば、これは、ＴＡコマンドの受信中におけるＴＡタイマの終了、１または複数の他のキャリアによって受信された１または複数のメッセージ、１または複数の他のイベント等に基づきうる。説明されるように、同期外状態は、ＳＣＣによって、および／または、対応するｅノードと、タイミングが同期していないことと、これによって、タイミングが同期されるまで、ｅノードＢと通信するために、ｅノードＢから受信されたアップリンク許可がＵＥによって利用されていないことと、を示しうる。
【００６７】
９０４において、同期外状態を示すインジケーションが、ｅノードＢへシグナルされうる。これは、このインジケーションをＰＣＣ（またはその他のキャリア）によってｅノードＢ８０４またはその他のｅノードＢへ送信することを含みうる。後者の例では、その他のｅノードＢが、このインジケーションをｅノードＢへ転送しうる。一例では、このインジケーションをシグナルすることは、例えば、ｅノードＢからアップリンク許可を受信することのような、１または複数のその他のイベント後も生じうる。
【００６８】
９０６では、ＳＣＣによって通信するためにタイミングを同期させるために、ｅノードＢを用いてランダム・アクセス手続が実行されうる。例えば、ランダム・アクセス手続は、ｅノードＢとの接続を確立するための複数のメッセージを含みうる。これによって、この手続後、ｅノードＢとタイミングが同期され、ｅノードＢと通信するための許可が受信されるようになりうる。例えば、ＰＤＣＣ命令は、同期外状態を示すインジケーションがシグナルされることに部分的に基づいて、ｅノードＢから受信されうる。ＰＤＣＣＨ命令は、例えばＲＡプリアンブルのように、ＲＡ手続を実行するためのコマンドまたは１または複数のパラメータを含みうる。
【００６９】
図１０は、タイミングの同期を可能にするために、ランダム・アクセス・リソースをＵＥへ提供するための方法１０００の例を例示する。１００２では、ＳＣＣに関する同期外状態を示すインジケーションがＵＥから受信されうる。例えば、このインジケーションは、ＰＣＣ、または、ＵＥと確立されたその他のキャリアによるシグナリングによって、ＵＥから受信されうる。別の例では、このインジケーションは、ＵＥとのＰＣＣを確立したｅノードＢからの、バックホール・リンクによる通信で受信されうる。
【００７０】
１００４では、ＰＤＣＣＨ命令が、このインジケーションに基づいて、ＳＣＣによるランダム・アクセスを実行することを促すために、ＵＥへ送信されうる。例えば、ＰＤＣＣＨ命令は、ＲＡプリアンブル、または、ＲＡを実行することに関連するその他のパラメータを含みうる。例えば、ＰＤＣＣＨ命令は、ＤＬ  ＳＣＣによって受信されうる。
【００７１】
図１１は、タイミングの同期を可能にするためにＵＥへランダム・アクセス手続を提供するための方法１１００の例を例示する。１１０２では、ＳＣＣに関するＵＥのための同期外状態が、通信がアップリンク・リソースで受信されたか否かに部分的に基づいて判定されうる。例えば、期間内に、または、ＳＣＣにおける連続した時間インスタンスのしきい回数中に、通信がアップリンク・リソース許可で受信されないのであれば、同期外状態が判定されうる。他の例では、同期外状態は、例えばサウンディング基準信号のようなある信号が、期間内にＵＥから受信されたか否かに基づいて判定されうる。
【００７２】
１１０３では、ＵＥのためのＵＬスケジューリングが中止される。例えば、これは、同期外状態を判定することに基づきうる。そして、アップリンク許可をＵＥに提供すること、あるいは、割り当てることを控えることを含みうる。１１０４では、同期外状態を判定することに基づいて、ＵＥからのランダム・アクセスが許可されうる。これは、例えば、説明されるように、ランダム・アクセスを実行するために、ＰＤＣＣＨ命令をＵＥへ通信することを含みうる。
【００７３】
図１２は、ｅノードＢとの通信のために利用されるＳＣＣに関する同期外状態を判定するためのモジュール１２０２と、同期外状態を示すインジケーションをｅノードＢへシグナリングするためのモジュール１２０４と、ＳＣＣによる通信のためのタイミングを同期するために、ｅノードＢとランダム・アクセス手続を実行するためのモジュール１２０６と、を備える無線通信装置１２００の一部分を示すブロック図である。装置１２００はまた、メモリ１２０８を含む。メモリ１２０８内で、モジュール１２０２，１２０４，１２０６が実現されうる。さらに、または、その代わりに、メモリ１２０８は、モジュール１２０２，１２０４，１２０６を実行するための命令群、モジュール１２０２，１２０４，１２０６に関連するパラメータ等を含みうる。この装置１２００はさらに、本明細書に記載されたさまざまな技法を実現しうる。一例において、装置１２００は、本明細書に記載された技法を実行するための追加の構成要素（例えば、関連付けられた命令群を実行するためのプロセッサ３８０等）を備えたＵＥ１２０，ＵＥ８０２等を含みうる。
【００７４】
図１３は、ＳＣＣに関する同期外状態を示すインジケーションをＵＥから受信するためのモジュール１３０２と、このインジケーションに基づいて、ＳＣＣによるランダム・アクセスを実行することを促すＰＤＣＣＨ命令を送信するためのモジュール１３０４と、を備える無線通信装置１３００の一部分を例示するブロック図である。装置１３００はさらに、メモリ１３０６を含んでいる。メモリ１３０６内では、モジュール１３０２，１３０４が実現されうる。さらに、または、その代わりに、メモリ１３０６は、モジュール１３０２，１３０４を実行するための命令群と、モジュール１３０２，１３０４に関連するパラメータ等とを含みうる。この装置１３００はさらに、本明細書に記載されたさまざまな技法を実現しうる。一例において、装置１３００は、本明細書に記載された技法を実行するための追加の構成要素（例えば、関連付けられた命令群を実行するプロセッサ３４０等）とともに、ｅノード１１０、ｅノードＢ８０４を含みうる。
【００７５】
図１４は、通信がアップリンク・リソースで受信されたか否かに部分的に基づいて、ＳＣＣに関するＵＥの同期外状態を判定するためのモジュール１４０２と、ＵＥのためのアップリンク・スケジューリングを中止するためのモジュール１４０３と、同期外状態を判定することに部分的に基づいて、ＵＥからのランダム・アクセスを許可するためのモジュール１４０４と、を備える無線通信装置１４００の一部分を例示するブロック図である。装置１４００はさらに、メモリ１４０６を含みうる。メモリ１４０６内では、モジュール１４０２，１４０３，１４０４が実現されうる。さらに、または、その代わりに、メモリ１４０６は、モジュール１４０２，１４０４，１４０４を実行するための命令群と、モジュール１４０２，１４０４，１４０４に関連するパラメータ等を含みうる。この装置１４００はさらに、本明細書に記載されたさまざまな技法を実現しうる。一例において、装置１４００は、例えば、本明細書に記載された技法を実行するための追加の構成要素（例えば、関連付けられた命令群を実行するためのプロセッサ３４０等）を備えた、ｅノードＢ１１０、ｅノードＢ８０４等を含みうる。
【００７６】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７７】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７８】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７９】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８０】
１または複数の典型的な設計では、記載された機能は、ハードウェア、ソフトウェア、ファームウェア、あるいはこれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００８１】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、出願当初の特許請求の範囲に記載された発明を付記する。
［Ｃ１］
キャリア・アグリゲートされた無線ネットワークにおいて、二次成分キャリア（ＳＣＣ）に関するタイミングを同期させるための方法であって、
ｅノードＢと通信するために利用されるＳＣＣに関する同期外状態を判定することと、
前記同期外状態を示すインジケーションを、前記ｅノードＢへシグナリングすることと、
前記ＳＣＣによる通信のためのタイミングを同期させるために、前記ｅノードＢとのランダム・アクセス手続を実行することと、
を備える方法。
［Ｃ２］
前記シグナリングすることは、前記ｅノードＢまたはその他のｅノードＢと通信するために利用される一次成分キャリアによって、前記インジケーションを送信することを備える、Ｃ１に記載の方法。
［Ｃ３］
前記同期外状態が判定された後、前記ｅノードＢからのアップリンク許可を検出することをさらに備え、
前記シグナリングは、タイミングが同期されていない場合に、アップリンク許可が受信されたか否かに基づいて生じる、Ｃ２に記載の方法。
［Ｃ４］
前記ＳＣＣによって前記ｅノードＢから物理ダウンリンク制御チャネル（ＰＤＣＣＨ）を受信することをさらに備え、
前記ランダム・アクセス手続は、ＰＤＣＣＨ命令に基づいてトリガされる、Ｃ１に記載の方法。
［Ｃ５］
前記シグナリングすることは、前記インジケーションを、前記ｅノードＢへ、媒体アクセス制御（ＭＡＣ）メッセージまたはラジオ・リソース制御（ＲＲＣ）メッセージとしてシグナリングすることを備える、Ｃ１に記載の方法。
［Ｃ６］
前記ｅノードＢとのランダム・アクセス手続を実行することは、コンテンション・ベースのランダム・アクセス手続を実行することを備える、Ｃ１に記載の方法。
［Ｃ７］
前記同期外状態が判定された後、前記ｅノードＢからのアップリンク許可を検出することをさらに備え、
前記コンテンション・ベースのランダム・アクセス手続を実行することは、タイミングが同期されていない場合に、アップリンク許可が受信されているか否かに基づく、Ｃ６に記載の方法。
［Ｃ８］
キャリア・アグリゲートされた無線ネットワークにおいて、二次成分キャリア（ＳＣＣ）に関するタイミングを同期させるための装置であって、
ｅノードＢと通信するために利用されるＳＣＣに関する同期外状態を判定する手段と、
前記同期外状態を示すインジケーションを、前記ｅノードＢへシグナリングする手段と、
前記ＳＣＣによる通信のためのタイミングを同期させるために、前記ｅノードＢとのランダム・アクセス手続を実行する手段と、
を備える装置。
［Ｃ９］
前記シグナリングする手段は、前記ｅノードＢまたはその他のｅノードＢと通信するために利用される一次成分キャリアによって、前記インジケーションを送信する、Ｃ８に記載の装置。
［Ｃ１０］
前記同期外状態が判定された後、前記ｅノードＢからのアップリンク許可を検出する手段をさらに備え、
前記シグナリングする手段は、タイミングが同期されていない場合に、アップリンク許可が受信されているか否かに基づいてシグナリングする、Ｃ９に記載の装置。
［Ｃ１１］
前記ＳＣＣによって前記ｅノードＢから、物理ダウンリンク制御チャネル（ＰＤＣＣＨ）命令を受信する手段をさらに備え、
前記ランダム・アクセス手続は、ＰＤＣＣＨ命令に基づいてトリガされる、Ｃ８に記載の装置。
［Ｃ１２］
前記シグナリングする手段は、前記インジケーションを、前記ｅノードＢへ、媒体アクセス制御（ＭＡＣ）メッセージまたはラジオ・リソース制御（ＲＲＣ）メッセージとしてシグナリングする、Ｃ８に記載の装置。
［Ｃ１３］
前記ｅノードＢとのランダム・アクセス手続を実行する手段は、コンテンション・ベースのランダム・アクセス手続を実行する手段を備える、Ｃ８に記載の装置。
［Ｃ１４］
前記同期外状態が判定された後、前記ｅノードＢからのアップリンク許可を検出する手段をさらに備え、
前記コンテンション・ベースのランダム・アクセス手続を実行する手段は、タイミングが同期されていない場合に、アップリンク許可が受信されているか否かに基づく、Ｃ１３に記載の装置。
［Ｃ１５］
コンピュータ読取可能媒体を備えるコンピュータ・プログラム製品であって、
少なくとも１つのコンピュータに対して、ｅノードＢと通信するために利用される二次成分キャリア（ＳＣＣ）に関する同期外状態を判定させるためのコードと、
前記少なくとも１つのコンピュータに対して、前記同期外状態を示すインジケーションを、前記ｅノードＢへシグナリングさせるためのコードと、
前記少なくとも１つのコンピュータに対して、前記ＳＣＣによる通信のためのタイミングを同期させるために、前記ｅノードＢとのランダム・アクセス手続を実行させるためのコードと、を備える非一時的なコンピュータ読取可能な媒体を備える、コンピュータ・プログラム製品。
［Ｃ１６］
前記少なくとも１つのコンピュータに対してシグナリングさせるためのコードは、前記ｅノードＢまたはその他のｅノードＢと通信するために利用される一次成分キャリアによって、前記インジケーションを送信する、Ｃ１５に記載のコンピュータ・プログラム製品。
［Ｃ１７］
前記コンピュータ読取可能な媒体はさらに、前記少なくとも１つのコンピュータに対して、前記同期外状態が判定された後、前記ｅノードＢからのアップリンク許可を検出させるためのコードをさらに備え、
前記少なくとも１つのコンピュータに対してシグナリングさせるためのコードは、タイミングが同期されていない場合に、アップリンク許可が受信されているか否かに基づいてシグナリングする、Ｃ１６に記載のコンピュータ・プログラム製品。
［Ｃ１８］
前記コンピュータ読取可能な媒体はさらに、前記少なくとも１つのコンピュータに対して、前記ＳＣＣによって前記ｅノードＢから、物理ダウンリンク制御チャネル（ＰＤＣＣＨ）命令を受信させるためのコードを備え、
前記ランダム・アクセス手続は、ＰＤＣＣＨ命令に基づいてトリガされる、Ｃ１５に記載のコンピュータ・プログラム製品。
［Ｃ１９］
前記少なくとも１つのコンピュータに対してシグナリングさせるためのコードは、前記インジケーションを、前記ｅノードＢへ、媒体アクセス制御（ＭＡＣ）メッセージまたはラジオ・リソース制御（ＲＲＣ）メッセージとしてシグナリングする、Ｃ１５に記載のコンピュータ・プログラム製品。
［Ｃ２０］
前記少なくとも１つのコンピュータに対して前記ｅノードＢとのランダム・アクセス手続を実行させるためのコードは、前記少なくとも１つのコンピュータに対して、コンテンション・ベースのランダム・アクセス手続を実行させるためのコードを備える、Ｃ１５に記載のコンピュータ・プログラム製品。
［Ｃ２１］
前記コンピュータ読取可能な媒体はさらに、前記少なくとも１つのコンピュータに対して、前記同期外状態が判定された後、前記ｅノードＢからのアップリンク許可を検出させるためのコードを備え、
前記少なくとも１つのコンピュータに対して実行させるためのコードは、タイミングが同期されていない場合に、アップリンク許可が受信されているか否かに基づく、Ｃ２０に記載のコンピュータ・プログラム製品。
［Ｃ２２］
キャリア・アグリゲートされた無線ネットワークにおいて、二次成分キャリア（ＳＣＣ）に関するタイミングを同期させるためのユーザ機器（ＵＥ）であって、
少なくとも１つのプロセッサと、
前記少なくとも１つのプロセッサに接続されたメモリとを備え、
前記少なくとも１つのプロセッサは、
ｅノードＢと通信するために利用されるＳＣＣに関する同期外状態を判定し、
前記同期外状態を示すインジケーションを、前記ｅノードＢへシグナリングし、
前記ＳＣＣによる通信のためのタイミングを同期させるために、前記ｅノードＢとのランダム・アクセス手続を実行するように構成された、ユーザ機器。
［Ｃ２３］
前記少なくとも１つのプロセッサは、前記ｅノードＢまたはその他のｅノードＢと通信するために利用される一次成分キャリアによって、前記インジケーションを送信することによって、前記インジケーションをシグナリングする、Ｃ２２に記載のユーザ機器。
［Ｃ２４］
前記少なくとも１つのプロセッサはさらに、前記同期外状態が判定された後、前記ｅノードＢからのアップリンク許可を検出するように構成され、
前記少なくとも１つのプロセッサは、タイミングが同期されていない場合に、アップリンク許可が受信されているか否かに基づいてシグナリングする、Ｃ２３に記載のユーザ機器。
［Ｃ２５］
前記少なくとも１つのプロセッサはさらに、前記ＳＣＣによって前記ｅノードＢから、物理ダウンリンク制御チャネル（ＰＤＣＣＨ）命令を受信するように構成され、
前記ランダム・アクセス手続は、ＰＤＣＣＨ命令に基づいてトリガされる、Ｃ２２に記載のユーザ機器。
［Ｃ２６］
前記少なくとも１つのプロセッサは、前記インジケーションを、前記ｅノードＢへ、媒体アクセス制御（ＭＡＣ）メッセージまたはラジオ・リソース制御（ＲＲＣ）メッセージとしてシグナリングする、Ｃ２２に記載のユーザ機器。
［Ｃ２７］
前記少なくとも１つのプロセッサは、前記ｅノードＢとのコンテンション・ベースのランダム・アクセス手続を実行するように構成された、Ｃ２２に記載のユーザ機器。
［Ｃ２８］
前記少なくとも１つのプロセッサはさらに、前記同期外状態が判定された後、前記ｅノードＢからのアップリンク許可を検出するように構成され、
前記少なくとも１つのプロセッサは、タイミングが同期されていない場合に、アップリンク許可が受信されているか否かに基づいて、前記コンテンション・ベースのランダム・アクセス手続を実行する、Ｃ２７に記載のユーザ機器。
［Ｃ２９］
二次成分キャリア（ＳＣＣ）によるランダム・アクセスを容易にする方法であって、
ＵＥから、ＳＣＣに関する同期外状態を示すインジケーションを受信することと、
前記インジケーションに基づいて、前記ＳＣＣによるランダム・アクセスを実行することを促すために、前記ＵＥへ、物理ダウンリンク制御チャネル命令を送信することと、
を備える方法。
［Ｃ３０］
前記受信することは、前記インジケーションを、前記ＵＥとの一次成分キャリアで受信することを備える、Ｃ２９に記載の方法。
［Ｃ３１］
前記受信することは、前記インジケーションを、媒体アクセス制御（ＭＡＣ）メッセージまたはラジオ・リソース制御（ＲＲＣ）メッセージで前記ＵＥから受信することを備える、Ｃ２９に記載の方法。
［Ｃ３２］
前記受信することは、前記ＵＥとの一次成分キャリアを有する、別のｅノードＢとのバックホール・リンクによって、前記インジケーションを受信することを備える、Ｃ２９に記載の方法。
［Ｃ３３］
二次成分キャリア（ＳＣＣ）によるランダム・アクセスを容易にする装置であって、
ＵＥから、ＳＣＣに関する同期外状態を示すインジケーションを受信する手段と、
前記インジケーションに基づいて、前記ＳＣＣによるランダム・アクセスを実行することを促すために、前記ＵＥへ、物理ダウンリンク制御チャネル命令を送信する手段と、
を備える装置。
［Ｃ３４］
前記受信する手段は、前記インジケーションを、前記ＵＥとの一次成分キャリアで受信する、Ｃ３３に記載の装置。
［Ｃ３５］
前記受信する手段は、前記インジケーションを、媒体アクセス制御（ＭＡＣ）メッセージまたはラジオ・リソース制御（ＲＲＣ）メッセージで前記ＵＥから受信する、Ｃ３３に記載の装置。
［Ｃ３６］
前記受信する手段は、前記ＵＥとの一次成分キャリアを有する、別のｅノードＢとのバックホール・リンクによって、前記インジケーションを受信する、Ｃ３３に記載の装置。
［Ｃ３７］
コンピュータ読取可能媒体を備えるコンピュータ・プログラム製品であって、
少なくとも１つのコンピュータに対して、ＵＥから、二次成分キャリア（ＳＣＣ）に関する同期外状態を示すインジケーションを受信させるためのコードと、
前記少なくとも１つのコンピュータに対して、前記インジケーションに基づいて、前記ＳＣＣによるランダム・アクセスを実行することを促すために、前記ＵＥへ、物理ダウンリンク制御チャネル命令を送信させるためのコードと、を備える非一時的なコンピュータ読取可能な媒体を備える、コンピュータ・プログラム製品。
［Ｃ３８］
前記少なくとも１つのコンピュータに対して受信させるためのコードは、前記ＵＥとの一次成分キャリアによって前記インジケーションを受信する、Ｃ３７に記載のコンピュータ・プログラム製品。
［Ｃ３９］
前記少なくとも１つのコンピュータに対して受信させるためのコードは、前記インジケーションを、媒体アクセス制御（ＭＡＣ）メッセージまたはラジオ・リソース制御（ＲＲＣ）メッセージで前記ＵＥから受信する、Ｃ３７に記載のコンピュータ・プログラム製品。
［Ｃ４０］
前記少なくとも１つのコンピュータに対して受信させるためのコードは、前記ＵＥとの一次成分キャリアを有する、別のｅノードＢとのバックホール・リンクによって、前記インジケーションを受信する、Ｃ３７に記載のコンピュータ・プログラム製品。
［Ｃ４１］
二次成分キャリア（ＳＣＣ）によるランダム・アクセスを容易にする装置であって、
少なくとも１つのプロセッサと、
少なくとも１つのプロセッサに接続されたメモリとを備え、
前記少なくとも１つのプロセッサは、
ＵＥから、ＳＣＣに関する同期外状態を示すインジケーションを受信し、
前記インジケーションに基づいて、前記ＳＣＣによるランダム・アクセスを実行することを促すために、前記ＵＥへ、物理ダウンリンク制御チャネル命令を送信するように構成された、装置。
［Ｃ４２］
前記少なくとも１つのプロセッサは、前記ＵＥとの一次成分キャリアによって前記インジケーションを受信する、Ｃ４１に記載の装置。
［Ｃ４３］
前記少なくとも１つのプロセッサは、前記インジケーションを、媒体アクセス制御（ＭＡＣ）メッセージまたはラジオ・リソース制御（ＲＲＣ）メッセージで前記ＵＥから受信する、Ｃ４１に記載の装置。
［Ｃ４４］
前記少なくとも１つのプロセッサは、前記ＵＥとの一次成分キャリアを有する、別のｅノードＢとのバックホール・リンクによって、前記インジケーションを受信する、Ｃ４１に記載の装置。
［Ｃ４５］
二次成分キャリア（ＳＣＣ）のためのランダム・アクセス・リソースをＵＥへ提供する方法であって、
所与の期間内、または、連続した時間インスタンスのしきい回数中、通信が、ＵＥに許可されたアップリンク・リソースによって受信されているか否かに部分的に基づいて、ＳＣＣに関する、ＵＥの同期外状態を判定することと、
前記同期外状態を判定することに基づいて、前記ＵＥからのランダム・アクセスを許可することと、を備える方法。
［Ｃ４６］
前記同期外状態を判定することはさらに、前記ＵＥからサウンディング基準信号が受信されたか否かに部分的に基づく、Ｃ４５に記載の方法。
［Ｃ４７］
前記同期外状態を判定することに基づいて、前記ＵＥのアップリンク・スケジューリングを中止すること、をさらに備える、Ｃ４５に記載の方法。
［Ｃ４８］
前記ランダム・アクセスは、前記ＵＥが、二次セルにおいて同期されていないが、前記二次セルのアップリンク許可を未だに受信している場合に行われる、Ｃ４５に記載の方法。
［Ｃ４９］
前記同期外状態を判定することに基づいて、前記ＳＣＣによるランダム・アクセスを実行することを促すために、前記ＵＥへ物理ダウンリンク制御チャネル命令を送信すること、をさらに備えるＣ４５に記載の方法。
［Ｃ５０］
二次成分キャリア（ＳＣＣ）のためのランダム・アクセス・リソースをＵＥへ提供する装置であって、
所与の期間内、または、連続した時間インスタンスのしきい回数中、通信が、ＵＥに許可されたアップリンク・リソースによって受信されているか否かに部分的に基づいて、ＳＣＣに関する、ＵＥの同期外状態を判定する手段と、
前記同期外状態を判定することに基づいて、前記ＵＥからのランダム・アクセスを許可する手段と、を備える装置。
［Ｃ５１］
前記判定する手段はさらに、前記ＵＥからのサウンディング基準信号が受信されたか否かに部分的に基づいて、前記帯域外状態を判定する、Ｃ５０に記載の装置。
［Ｃ５２］
前記同期外状態を判定することに基づいて、前記ＵＥのアップリンク・スケジューリングを中止する手段、をさらに備えるＣ５０に記載の装置。
［Ｃ５３］
前記ランダム・アクセスは、前記ＵＥが、二次セルにおいて同期されていないが、前記二次セルのアップリンク許可を未だに受信している場合に行われる、Ｃ５０に記載の装置。
［Ｃ５４］
前記同期外状態を判定することに基づいて、前記ＳＣＣによるランダム・アクセスを実行することを促すために、前記ＵＥへ物理ダウンリンク制御チャネル命令を送信する手段、をさらに備えるＣ５０に記載の装置。
［Ｃ５５］
コンピュータ読取可能媒体を備えるコンピュータ・プログラム製品であって、
少なくとも１つのコンピュータに対して、所与の期間内、または、連続した時間インスタンスのしきい回数中、通信が、ＵＥに許可されたアップリンク・リソースによって受信されているか否かに部分的に基づいて、ＳＣＣに関する、ＵＥの同期外状態を判定させるためのコードと、
前記少なくとも１つのコンピュータに対して、前記同期外状態を判定することに基づいて、前記ＵＥからのランダム・アクセスを許可させるためのコードと、を備える非一時的なコンピュータ読取可能な媒体を備える、コンピュータ・プログラム製品。
［Ｃ５６］
前記少なくとも１つのコンピュータに判定させるためのコードは、前記ＵＥからのサウンディング基準信号が受信されたか否かに部分的に基づいて、前記帯域外状態を判定する、Ｃ５５に記載のコンピュータ・プログラム製品。
［Ｃ５７］
前記コンピュータ読取可能な媒体はさらに、前記少なくとも１つのコンピュータに対して、前記同期外状態を判定することに基づいて、前記ＵＥのアップリンク・スケジューリングを中止させるためのコードを備える、Ｃ５５に記載のコンピュータ・プログラム製品。
［Ｃ５８］
前記ランダム・アクセスは、前記ＵＥが、二次セルにおいて同期されていないが、前記二次セルのアップリンク許可を未だに受信している場合に行われる、Ｃ５５に記載のコンピュータ・プログラム製品。
［Ｃ５９］
前記コンピュータ読取可能な媒体はさらに、前記少なくとも１つのコンピュータに対して、前記同期外状態を判定することに基づいて、前記ＳＣＣによるランダム・アクセスを実行することを促すために、前記ＵＥへ物理ダウンリンク制御チャネル命令を送信させるためのコードを備える、Ｃ５５に記載のコンピュータ・プログラム製品。
［Ｃ６０］
二次成分キャリア（ＳＣＣ）のためのランダム・アクセス・リソースをＵＥへ提供するユーザ機器（ＵＥ）であって、
少なくとも１つのプロセッサと、
少なくとも１つのプロセッサに接続されたメモリとを備え、
前記少なくとも１つのプロセッサは、
所与の期間内、または、連続した時間インスタンスのしきい回数中、通信が、ＵＥに許可されたアップリンク・リソースによって受信されているか否かに部分的に基づいて、ＳＣＣに関する、ＵＥの同期外状態を判定し、
前記同期外状態を判定することに基づいて、前記ＵＥからのランダム・アクセスを許可するように構成された、ユーザ機器。
［Ｃ６１］
前記少なくとも１つのプロセッサは、前記ＵＥからのサウンディング基準信号が受信されたか否かに部分的に基づいて、前記帯域外状態を判定する、Ｃ６０に記載のユーザ機器。
［Ｃ６２］
前記少なくとも１つのプロセッサはさらに、前記同期外状態を判定することに基づいて、前記ＵＥのアップリンク・スケジューリングを中止するように構成された、Ｃ６０に記載のユーザ機器。
［Ｃ６３］
前記ランダム・アクセスは、前記ＵＥが、二次セルにおいて同期されていないが、前記二次セルのアップリンク許可を未だに受信している場合に行われる、Ｃ６０に記載のユーザ機器。
［Ｃ６４］
前記少なくとも１つのプロセッサはさらに、前記同期外状態を判定することに基づいて、前記ＳＣＣによるランダム・アクセスを実行することを促すために、前記ＵＥへ物理ダウンリンク制御チャネル命令を送信するように構成された、Ｃ６０に記載のユーザ機器。
【図１】
0005992538.tif 000002
【図２】
0005992538.tif 000003
【図３】
0005992538.tif 000004
【図４Ａ】
0005992538.tif 000005
【図４Ｂ】
0005992538.tif 000006
【図５】
0005992538.tif 000007
【図６】
0005992538.tif 000008
【図７】
0005992538.tif 000009
【図８】
0005992538.tif 000010
【図９】
0005992538.tif 000011
【図１０】
0005992538.tif 000012
【図１１】
0005992538.tif 000013
【図１２】
0005992538.tif 000014
【図１３】
0005992538.tif 000015
【図１４】
0005992538.tif 000016